(57)【要約】【課題】本発明の課題は、カセッテに付された識別情報を用いて、撮影された医用画像と撮影オーダ情報との対応付けを容易かつ確実に行うことである。【解決手段】撮影準備として、撮影を行うための撮影オーダ情報を制御装置２０から携帯端末１０に送信して記憶させ、撮影開始時に撮影を行う患者の患者ＩＤ及び医用画像を記録するカセッテのカセッテＩＤを読み取り、撮影オーダ情報との対応付けを行う。そして、撮影終了後、携帯端末１０を通信端末１０−１に装着することにより、携帯端末１０から撮影済みの撮影オーダ情報に対応付けられたカセッテＩＤを制御装置２０に送信して、制御装置２０においてカセッテＩＤに基づいて撮影オーダ情報と医用画像との対応付けを行う。【選択図】      図１
2004267667.tif 000002
【特許請求の範囲】
【請求項１】
撮影オーダ情報と医用画像とを対応付けて管理する制御装置と、前記制御装置から撮影オーダ情報を取得する携帯端末と、がネットワークを介して接続された医用画像撮影システムであって、
前記携帯端末は、
前記制御装置から取得した撮影オーダ情報に基づいて撮影される医用画像を記録するカセッテの識別情報を取得する取得手段と、
前記取得したカセッテの識別情報を当該撮影オーダ情報に対応付けて記憶する記憶手段と、
ネットワークへの接続を検出する検出手段と、
前記ネットワークへの接続が検出された場合に、前記撮影オーダ情報に対応付けられたカセッテの識別情報を前記制御装置に送信する通信手段と、を備え、
前記制御装置は、
前記撮影オーダ情報に対応付けられたカセッテの識別情報を受信する通信手段を備えることを特徴とする医用画像撮影システム。
【請求項２】
医用画像が記録されたカセッテから医用画像とカセッテの識別情報とを読み取る医用画像読取装置を備え、
前記医用画像読取装置は、
前記医用画像と医用画像に対応付けられカセッテの識別情報を送信する通信手段を備え、
前記制御装置において、
前記通信手段は、前記医用画像と医用画像に対応付けられたカセッテの識別情報を受信し、
前記撮影オーダ情報に対応付けられたカセッテの識別情報と、前記医用画像に対応付けられたカセッテの識別情報とに基づいて、当該撮影オーダ情報と医用画像とを対応付けて管理する管理手段を備えることを特徴とする請求項１記載の医用画像撮影システム。
【請求項３】
前記制御装置において、
前記通信手段は、撮影オーダ情報を前記携帯端末に送信し、
前記撮影オーダ情報の送信後、所定時間の経過の有無と、当該撮影オーダ情報に対応付けられたカセッテの識別情報の受信の有無とを判別する判別手段と、
前記判別手段により、撮影オーダ情報の送信後、所定時間が経過し、かつ当該撮影オーダ情報に対応付けられたカセッテの識別情報を受信していないと判別された場合、表示部にエラー表示を行わせる表示制御手段と、
を備えることを特徴とする請求項１記載の医用画像撮影システム。
【請求項４】
撮影オーダ情報と医用画像とを対応付けて管理する制御装置と、前記制御装置から撮影オーダ情報を取得する携帯端末と、がネットワークを介して接続された医用画像撮影システムにおける医用画像管理方法であって、
前記制御装置から取得した撮影オーダ情報に基づいて撮影される医用画像を記録するカセッテの識別情報を取得する工程と、
前記取得したカセッテの識別情報を当該撮影オーダ情報に対応付けて記憶する工程と、
ネットワークへの接続を検出する工程と、
前記ネットワークへの接続が検出された場合に、前記撮影オーダ情報に対応付けられたカセッテの識別情報を前記制御装置に送信する工程と、
前記撮影オーダ情報に対応付けられたカセッテの識別情報を受信する工程と、
を含むことを特徴とする医用画像管理方法。
【請求項５】
前記医用画像と医用画像に対応付けられカセッテの識別情報を送信する工程と、
前記医用画像と医用画像に対応付けられたカセッテの識別情報を受信する工程と、
前記撮影オーダ情報に対応付けられたカセッテの識別情報と、前記医用画像に対応付けられたカセッテの識別情報とに基づいて、当該撮影オーダ情報と医用画像とを対応付けて管理する工程と、
を含むことを特徴とする請求項４記載の医用画像管理方法。
【請求項６】
撮影オーダ情報を送信する工程と、
前記撮影オーダ情報の送信後、所定時間の経過の有無と、当該撮影オーダ情報に対応付けられたカセッテの識別情報の受信の有無とを判別する工程と、
撮影オーダ情報の送信後、所定時間が経過し、かつ当該撮影オーダ情報に対応付けられたカセッテの識別情報を受信していないと判別された場合、エラー表示を行わせる工程と、
を含むことを特徴とする請求項４又は５記載の医用画像管理方法。
【発明の詳細な説明】
【０００１】
【発明の属する技術分野】
本発明は、医用画像撮影システム及び医用画像管理方法に関するものである。
【０００２】
【従来の技術】
医療の分野においては、例えば、コンピュータ断層画像撮影装置（以下、「ＣＴ（Ｃｏｍｐｕｔｅｄ  Ｔｏｍｏｇｒａｐｈｙ）」と記す）やコンピュータ放射線画像撮影装置（以下、「ＣＲ（Ｃｏｍｐｕｔｅｄ  Ｒａｄｉｏｇｒａｐｈｙ）」と記す）、核磁気共鳴イメージング装置（以下、「ＭＲＩ（Ｍａｇｎｅｔｉｃ  Ｒｅｓｏｎａｎｃｅ  Ｉｍａｇｉｎｇ）」と記す）等を備える医用画像撮影システムが利用されている。この医用画像撮影システムは、被験体である患者を撮影し、その撮影した医用画像をデジタル画像データとして取得するシステムである。
【０００３】
なかでも、放射線画像撮影装置は、支持体上に輝尽性蛍光体層を形成した医用画像変換パネルを使用するもので、この変換パネルの輝尽性蛍光体層に被写体を透過した放射線を吸収させ、被写体各部の放射線透過度に対応する放射線エネルギーを蓄積させて潜像を形成する。その後、この蛍光体層を赤外線等の輝尽励起光で走査することにより蓄積された放射線エネルギーを蛍光として放射させてその蛍光を光電変換し、医用画像信号を得るものである。このようにして取得された医用画像は画像処理を施された後にフィルム、或いはＣＲＴ等の出力装置に出力されて可視化されたり、サーバ等のファイリング装置に患者の情報とともに保存され、医療活動に利用されている。
【０００４】
このような放射線画像撮影装置を利用した医用画像撮影システムには、大きく分けて二つのシステム構成がとられる。一つは、画像の撮影装置（例えば、Ｘ線装置）と、読取装置と、輝尽性蛍光体プレートとを撮影室、又は、撮影室近傍にに設置し、撮影室にて撮影を行う従来の医用画像撮影システムである。このシステムにおいては、撮影室にて撮影と同時に画像の読み取りを行うことができる。
【０００５】
もう一つは、骨折や脳血管疾患等の患者や集中治療室にて管理中の患者等、撮影室にて撮影が行えない患者の為に、回診用の移動可能な撮影装置と、蛍光体プレートを内蔵した持ち運び可能なカセッテとを利用して、回診先において撮影を行う医用画像撮影システムである（例えば、特許文献１参照）。このシステムにおいては、撮影後にカセッテ専用の読取装置にカセッテを挿入し、撮影した画像の読み取りを行う。
【０００６】
上述した回診先にて撮影を行う医用画像撮影システムにおいて、技師が撮影を行う過程を以下に説明する。まず、技師は、病院内の情報管理システム（以下、「ＨＩＳ（Ｈｏｓｐｉｔａｌ  Ｉｎｆｏｒｍａｔｉｏｎ  Ｓｙｓｔｅｍ）と記す）や放射線科内の情報管理システム（以下、「ＲＩＳ（Ｒａｄｉｏｌｏｇｙ  Ｉｎｆｏｒｍａｔｉｏｎ  Ｓｙｓｔｅｍ）と記す）等において、医師からの指示により作成された撮影オーダ情報をオーダ用紙に印刷する。この撮影オーダ情報には、撮影する患者の氏名や性別等の患者に関する情報（以下、「患者情報」と記す）や、撮影部位や撮影方法等の撮影に関する情報（以下、「撮影情報」と記す）が含まれ、どの患者に対して、どのような撮影を行うかといった指示が示されている。
【０００７】
次いで、移動可能な撮影装置、カセッテ、オーダ用紙等を患者がいる病室に搬送し、オーダ用紙に印刷された撮影オーダ情報に基づいて撮影対象となる患者の確認を行う。続いて、技師は、どのカセッテを使って撮影を行ったかを明確にするため、使用するカセットに固有の識別情報を撮影オーダ情報に対応付けてオーダ用紙に記録しておく。そして、患者の確認及びカセッテの識別情報を記録後、技師は、撮影装置を操作して患者の撮影を実行し、医用画像をカセッテに記録する。
【０００８】
さらに、撮影終了後、放射線室に戻り、技師は、オーダ用紙の記録に基づいて、撮影に使用したカセッテの識別情報を撮影オーダ情報に対応付けて制御装置に入力する。続いて、医用画像が記録されたカセッテをカセッテ用の読取装置に挿入して、カセッテから医用画像を読み取る。そして、制御装置において、読取装置により読み取った医用画像と、撮影オーダ情報との対応付けを行う。
【０００９】
【特許文献１】
特開２０００−１３９８８８号公報
【００１０】
【発明が解決しようとする課題】
しかしながら、上述した医用画像撮影システムにおいては、撮影終了後、放射線室に戻った技師が、オーダ用紙に記録されたカセッテの識別情報を制御装置に入力し、入力されたカセッテの識別情報に基づいて、医用画像と、撮影オーダ情報との対応付けを行う。このため、撮影したカセッテが複数ある場合、入力処理に手間が係り、技師の作業負担が大きいとともに、迅速性に欠けるという問題があった。また、カセッテの識別情報を入力する際に、入力ミスや入力漏れがあった場合、医用画像と撮影オーダ情報との対応付けにミスが生じる場合があり、管理の信頼性に欠けるという問題があった。
【００１１】
本発明の課題は、カセッテに付された識別情報を用いて、撮影された医用画像と撮影オーダ情報との対応付けを容易かつ確実に行うことができる医用画像撮影システムを提供することである。
【００１２】
【課題を解決するための手段】
上記課題を解決するために、請求項１記載の発明は、
撮影オーダ情報と医用画像とを対応付けて管理する制御装置と、前記制御装置から撮影オーダ情報を取得する携帯端末と、がネットワークを介して接続された医用画像撮影システムであって、
前記携帯端末は、
前記制御装置から取得した撮影オーダ情報に基づいて撮影される医用画像を記録するカセッテの識別情報を取得する取得手段と、
前記取得したカセッテの識別情報を当該撮影オーダ情報に対応付けて記憶する記憶手段と、
ネットワークへの接続を検出する検出手段と、
前記ネットワークへの接続が検出された場合に、前記撮影オーダ情報に対応付けられたカセッテの識別情報を前記制御装置に送信する通信手段と、を備え、
前記制御装置は、
前記撮影オーダ情報に対応付けられたカセッテの識別情報を受信する通信手段を備えることを特徴とする。
【００１３】
したがって、携帯端末はネットワークに接続されたことを検出すると、速やかに撮影オーダ情報に対応付けられたカセッテの識別情報を制御装置に送信するため、技師は、簡単な操作のみで、撮影オーダ情報に対応付けられたカセッテの識別情報を制御装置に送信させることができる。また、正確かつ迅速に撮影オーダ情報に対応付けられたカセッテの識別情報を制御装置に送信させることができる。
【００１４】
請求項２記載の発明は、請求項１記載の医用画像撮影システムにおいて、
医用画像が記録されたカセッテから医用画像とカセッテの識別情報とを読み取る医用画像読取装置を備え、
前記医用画像読取装置は、
前記医用画像と医用画像に対応付けられカセッテの識別情報を送信する通信手段を備え、
前記制御装置において、
前記通信手段は、前記医用画像と医用画像に対応付けられたカセッテの識別情報を受信し、
前記撮影オーダ情報に対応付けられたカセッテの識別情報と、前記医用画像に対応付けられたカセッテの識別情報とに基づいて、当該撮影オーダ情報と医用画像とを対応付けて管理する管理手段を備えることを特徴とする。
【００１５】
したがって、制御装置は、携帯端末から受信した撮影オーダ情報に対応付けられたカセッテの識別情報と、医用画像読取装置から受信した医用画像に対応付けられたカセッテの識別情報とに基づいて、確実に医用画像と撮影オーダ情報とを対応付けて管理することができる。
【００１６】
請求項３記載の発明は、請求項１記載の医用画像撮影システムにおいて、
前記制御装置において、
前記通信手段は、撮影オーダ情報を前記携帯端末に送信し、
前記撮影オーダ情報の送信後、所定時間の経過の有無と、当該撮影オーダ情報に対応付けられたカセッテの識別情報の受信の有無とを判別する判別手段と、
前記判別手段により、撮影オーダ情報の送信後、所定時間が経過し、かつ当該撮影オーダ情報に対応付けられたカセッテの識別情報を受信していないと判別された場合、表示部にエラー表示を行わせる表示制御手段と、
を備えることを特徴とする。
【００１７】
したがって、制御装置において、携帯端末から制御装置に撮影オーダ情報が送信され、所定時間が経過しても撮影オーダ情報に対応付けられたカセッテの識別情報が受信されない場合、制御装置の表示部にエラー表示を行うことにより、技師に注意を促して、撮影忘れや情報の送信忘れを防止することができる。
【００１８】
請求項４記載の発明は、
撮影オーダ情報と医用画像とを対応付けて管理する制御装置と、前記制御装置から撮影オーダ情報を取得する携帯端末と、がネットワークを介して接続された医用画像撮影システムにおける医用画像管理方法であって、
前記制御装置から取得した撮影オーダ情報に基づいて撮影される医用画像を記録するカセッテの識別情報を取得する工程と、
前記取得したカセッテの識別情報を当該撮影オーダ情報に対応付けて記憶する工程と、
ネットワークへの接続を検出する工程と、
前記ネットワークへの接続が検出された場合に、前記撮影オーダ情報に対応付けられたカセッテの識別情報を前記制御装置に送信する工程と、
前記撮影オーダ情報に対応付けられたカセッテの識別情報を受信する工程と、
を含むことを特徴とする。
【００１９】
請求項５記載の発明は、請求項４記載の医用画像管理方法において、
前記医用画像と医用画像に対応付けられカセッテの識別情報を送信する工程と、
前記医用画像と医用画像に対応付けられたカセッテの識別情報を受信する工程と、
前記撮影オーダ情報に対応付けられたカセッテの識別情報と、前記医用画像に対応付けられたカセッテの識別情報とに基づいて、当該撮影オーダ情報と医用画像とを対応付けて管理する工程と、
を含むことを特徴とする。
【００２０】
請求項６記載の発明は、請求項４又は５記載の医用画像管理方法において、
撮影オーダ情報を送信する工程と、
前記撮影オーダ情報の送信後、所定時間の経過の有無と、当該撮影オーダ情報に対応付けられたカセッテの識別情報の受信の有無とを判別する工程と、
撮影オーダ情報の送信後、所定時間が経過し、かつ当該撮影オーダ情報に対応付けられたカセッテの識別情報を受信していないと判別された場合、エラー表示を行わせる工程と、
を含むことを特徴とする。
【００２１】
したがって、例えば、携帯端末にエラー表示を行わせて、より確実に技師に注意を促して、撮影忘れや情報の送信忘れを防止することができる。
【００２２】
【発明の実施の形態】
以下、図を参照して本発明の実施の形態を詳細に説明する。ただし、発明の範囲は、図示例に限定されない。なお、以下では、本発明に特徴的な医用画像端末装置が持ち運び可能な携帯端末であり、医用画像撮影装置が移動可能な撮影装置であり、回診先にて撮影を行う医用画像撮影システムを例として説明を行う。
【００２３】
まず、本実施の形態の構成を説明する。
図１は、本発明に係る医用画像撮影システム１００のシステム構成を示す概念図である。図１に示すように、医用画像撮影システム１は、携帯端末１０、通信端末１０−１、制御装置２０、医用画像読取装置３０、ポータブル撮影装置４０、カセッテ５０、情報管理装置６０等から構成されている。また、制御装置２０、医用画像読取装置３０及び情報管理装置６０は、ネットワークＮを介して接続されており、携帯端末１０及び制御装置２０は、通信端末１０−１を介して接続可能な構成となっている。
【００２４】
携帯端末１０は、ポータブル撮影装置４０を操作する技師等が携帯する携帯型情報端末装置であり、後述する通信端末１０−１を介して制御装置２０と通信を行う。また、携帯端末１０は、制御装置２０から撮影オーダ情報を取得して表示するが、複数患者の撮影オーダがある場合、撮影オーダ情報の中から所望の患者ＩＤに対応する撮影オーダ情報を検索して表示する。
【００２５】
通信端末１０−１は、ケーブル等を介して制御装置２０と接続され、通信端末１０−１に装着された携帯端末１０と制御装置２０との間でデータの送受信を制御する。この際、通信端末１０−１は、携帯端末１０の装着を検出すると、検出信号を制御装置２０に送信する。また、通信端末１０−１は、装着された携帯端末１０の充電を行う。
【００２６】
制御装置２０は、情報管理装置６０から撮影オーダ情報を受信し、受信した撮影オーダ情報を通信端末１０−１を介して携帯端末１０に送信する。また、制御装置２０は、撮影終了後、携帯端末１０から撮影オーダ情報に対応付けられたカセッテ５０の識別情報を受信し、カセッテ５０の識別情報に基づいて撮影オーダ情報と医用画像との対応付けを行い、医用画像を管理する。さらに、カセッテ５０の識別情報と撮影オーダ情報との対応付けを情報管理装置６０に送信する。
【００２７】
医用画像読取装置３０は、カセッテ５０に記録された医用画像を読み取る医用画像読取装置である。医用画像読取装置３０は、カセッテ５０の輝尽性蛍光体シートに励起光を照射し、これによりシートから発光される輝尽光を光電変換し、得られた画像信号をＡ／Ｄ変換して、医用画像を取得する。また、医用画像読取装置３０は、カセッテ５０に付帯するカセッテの識別情報を読み取り、医用画像及び医用画像に対応するカセッテの識別情報を制御装置２０に送信し、当該医用画像を表示する。
【００２８】
ポータブル撮影装置４０は、移動可能な医用画像撮影装置であり、回診先において患者の撮影を行い、装置本体に着脱可能なカセッテ５０に医用画像を記録する。カセッテ５０は、放射線エネルギーの一部を蓄積する輝尽性蛍光体シートを内蔵しており、放射線源から照射され、照射線源とカセッテとの間に配置される被験体を通過した照射エネルギーの一部を上記輝尽性蛍光体シートに蓄積する。
【００２９】
情報管理装置６０は、医師から指示された撮影オーダ情報を一括して管理する端末であり、制御装置２０からの要求指示に応じて、撮影オーダ情報を抽出し、制御装置２０に抽出した撮影オーダ情報を送信する。なお、他の情報管理装置として、撮影オーダ情報の予約受付を行う受付装置（図示せず）を適用しても良く、ＨＩＳ（Ｈｏｓｐｉｔａｌ  Ｉｎｆｏｒｍａｔｉｏｎ  Ｓｙｓｔｅｍ）やＲＩＳ（Ｒａｄｉｏｌｏｇｙ  Ｉｎｆｏｒｍａｔｉｏｎ  Ｓｙｓｔｅｍ）等の情報管理システムを適用することとしてもよい。
【００３０】
ネットワークＮは、ＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）、インターネット等の様々な回線形態を適用可能である。なお、病院等の医療機関内で許可されるのであれば、無線通信や赤外線通信であってもよいが、撮影オーダ情報を送受信する際には重要な患者情報を含むため、撮影オーダ情報は暗号化することが好ましい。
【００３１】
次に、本発明において主要な構成要素となる各装置について詳細に説明する。図２は、携帯端末１０の機能的構成を示すブロック図である。図２に示すように、携帯端末１０は、ＣＰＵ１１、操作部１２、表示部１３、通信手段としてのＩ／Ｆ１４、ＲＡＭ１５、記憶手段としての記憶装置１６、取得手段としてのバーコードリーダ１７等から構成され、各部はバス１８により接続されている。
【００３２】
ＣＰＵ（Ｃｅｎｔｒａｌ  Ｐｒｏｃｅｓｓｉｎｇ  Ｕｎｉｔ）１１は、記憶部１６に格納されているシステムプログラム及び各種アプリケーションプログラムの中から指定されたプログラムをＲＡＭ１５に展開し、当該プログラムに従って携帯端末１０の各部を集中制御する。
【００３３】
具体的にＣＰＵ１１は、記憶装置１６から撮影準備処理処理プログラム、撮影開始処理プログラム、撮影終了後処理プログラムを読み出して、後述する撮影準備処理（図５（ｂ）参照）、撮影開始処理（図６参照）、撮影終了後処理（図７（ａ）参照）を実行する。なお、各処理の詳細については後述する。
【００３４】
操作部１２は、カーソルキー、数字キー、各種機能キー、ジョグダイアルキー等を備えて構成され、撮影者により操作された押下されたキーに対応する押下信号をＣＰＵ１１に出力する。なお、操作部１２は、必要に応じてタッチパネル等のポインティングデバイスや、その他の入力装置を備えるものとしてもよい。
【００３５】
表示部１３は、ＬＣＤ（Ｌｉｑｕｉｄ  Ｃｒｙｓｔａｌ  Ｄｉｓｐｌａｙ）等による表示ディスプレイを備えた表示手段であり、ＣＰＵ１１からの表示指示に基づいて撮影オーダ情報、患者ＩＤ等の各種情報を表示する。
【００３６】
Ｉ／Ｆ１４は、携帯端末１０と通信端末１０−１とを接続するためのインターフェースであり、携帯端末１０が通信端末１０−１に装着されると、検出信号をＣＰＵ１１に出力する。また、Ｉ／Ｆ１４は、通信端末１０−１を介して、携帯端末１０と制御装置２０との間で、データの転送速度の調整や、データ形式の変換を行い、両者間のデータのやりとりを仲介する。
【００３７】
例えば、Ｉ／Ｆ１４は、制御装置２０から撮影オーダ情報を受信するとともに、撮影終了後の携帯端末１０からカセッテ５０の識別情報と対応付けられた撮影オーダ情報を取得して、制御装置２０に送信する。なお、Ｉ／Ｆ１４は、必要に応じてＰＨＳ等の携帯電話端末を接続し、無線通信を確立してデータの送受信を行う構成であってもよい。
【００３８】
ＲＡＭ（Ｒａｎｄｏｍ  Ａｃｃｅｓｓ  Ｍｅｍｏｒｙ）１５は、前述の指定されたアプリケーションプログラム、入力指示、入力データ及び処理結果等を格納するワークメモリエリアを有する。
【００３９】
記憶装置１６は、プログラムやデータが予め記憶されている記憶媒体（図示せず）を有しており、この記憶媒体は、システムプログラム、当該システムプログラムに対応する各種アプリケーションプログラム及び各種処理プログラムで処理されたデータ等を記憶する。また、この記憶媒体は磁気的、光学的記憶媒体又は半導体メモリで構成され、記憶装置１６に固定的に設けられるもの又は着脱自在に装着するものである。
【００４０】
また、記憶装置１６は、制御装置２０から受信した撮影オーダ情報を格納するための撮影オーダ情報ファイル１６１を記憶している。図３を参照して撮影オーダ情報ファイル１６１について説明する。図３は、撮影オーダ情報ファイル１６１のデータ構成例を示す図である。図３に示すように、撮影オーダ情報ファイル１６１は、撮影ＩＤ、患者ＩＤ、氏名、性別、年齢、病室、依頼科、撮影部位、撮影装置、撮影枚数、カセッテ５０の識別情報（以下、「カセッテＩＤ」と記す）を格納するための項目を有し、撮影オーダ情報毎に各項目に対応するデータを格納する。
【００４１】
撮影ＩＤの項目には、撮影を特定するために一義的に割り当てられた識別コード（例えば、２００２０１０１００１、２００２０１０１００２、２００２０１０１００３、…）が格納される。患者ＩＤの項目には、撮影を受ける患者を特定するために一義的に割り当てられた識別コード（例えば、１００００００２、１０００００５、…）が格納される。氏名の項目には、撮影対象となる患者の名前を示す文字情報が格納され、性別の項目には、撮影対象となる患者の性別を示す文字情報が格納される。年齢の項目には、撮影対象となる患者の年齢が数字情報により格納され、病室の項目には、撮影場所となる病室を示す文字情報が格納される。
【００４２】
依頼科の項目には、撮影を依頼した依頼科を示す文字情報が格納され、撮影部位の項目には、撮影部位を示す情報（例えば、頭蓋骨Ａ→Ｐ、頭蓋骨Ｐ→Ａ、胸部Ｐ→Ａ、…）が格納される。撮影装置の項目には、撮影に使用する撮影装置の機種を示す文字情報が格納され、枚数の項目には、撮影する枚数が数字情報により格納される。カセッテＩＤの項目には、撮影を行ったカセッテを特定するために一義的に割り当てられたカセッテＩＤ（例えば、カセッテ５０に付されたバーコード等から読み取られる情報）が格納される。なお、撮影準備段階においてカセッテＩＤのデータは格納されておらず、ベッドサイドでの撮影時にバーコードリーダ１７により読み取られたカセッテＩＤが格納される構成となっている。
【００４３】
また、撮影オーダ情報には、患者情報として患者ＩＤ、氏名、性別、年齢の他、例えば、担当医師名、感染症等を警告する警告情報、薬物アレルギーの有無、妊娠の有無、追加病歴、車椅子や担架等の特別な介護の必要性、臨床診断名、守秘事項等の各種患者情報が格納される構成であっても良い。また、撮影情報として撮影部位、撮影装置、枚数の他、例えば、撮影方法（単純撮影、造影撮影等）、撮影予定日等の各種撮影情報が格納される構成であっても良い。
【００４４】
バーコードリーダ１７は、カセッテＩＤを取得するための取得手段の一例であり、光学的な読み取り装置であるスキャナを有している。バーコードリーダ１７は、スキャナにてバーコードを読み取り、所定の規格に従ってデコードすることにより、バーコードが示す情報を取得する。例えば、バーコードリーダ１７は、撮影を行う際に医用画像を記録するカセッテ５０に付帯されたバーコードを読み取り、カセッテＩＤを取得する。また、バーコードリーダ１７は、患者のベッドサイド又は患者の身体の一部に付帯されたバーコードを読み取り、患者ＩＤの認証を行った後、当該患者の撮影オーダ情報に対応するカセッテＩＤの対応付けが可能になるように構成してもよい。なお、所定の規格とは、ＪＡＮコード、ＵＰＣコード、ＣＯＤＥ３９、ＣＤＥ９３、ＣＯＤＥ１２８、ＮＷ−７、ＩＮＤＵＳＴＲＩＡＬ  ２ｏｆ５、ＩＴＦ物流コード等である。
【００４５】
図４は、制御装置２０の機能的構成を示すブロック図である。図４に示すように、制御装置２０は、ＣＰＵ２１、入力部２２、表示部２３、通信制御部２４、ＲＡＭ２５、記憶装置２６、Ｉ／Ｆ２７等を備えて構成され、各部はバス２８により接続されている。
【００４６】
ＣＰＵ２１は、記憶装置２６に記憶されているシステムプログラムや各種制御プログラムを読み出し、ＲＡＭ２５に展開し、該制御プログラムに従って各部の動作を集中制御する。また、ＣＰＵ２１は、ＲＡＭ２５に展開したプログラムに従って各種処理を実行し、その処理結果をＲＡＭ２５に一時記憶させるとともに、表示部２３に表示させる。
【００４７】
具体的に、ＣＰＵ２１は、記憶装置２６から撮影準備処理プログラム、撮影終了後処理プログラムを読み出して、後述する撮影準備処理（図５（ｂ）参照）、撮影終了後処理（図７（ａ）参照）を実行する。
【００４８】
入力部２２は、カーソルキー、数字入力キー、及び各種機能キー等を備えたキーボードを含み、このキーボードで押下されたキーに対応する押下信号をＣＰＵ２１に出力する。なお、入力部２２は、必要に応じてマウス、タッチパネル等のポインティングデバイスや、その他の入力装置を備えることとしてもよい。
【００４９】
表示部２３は、ＬＣＤやＣＲＴ（Ｃａｔｈｏｄｅ  Ｒａｙ  Ｔｕｂｅ）等により構成され、ＣＰＵ２１から入力される表示信号の指示に従って、入力部２２からの入力指示やデータ等を表示する。
【００５０】
通信制御部２４は、ＬＡＮアダプタやルータやＴＡ（Ｔｅｒｍｉｎａｌ  Ａｄａｐｔｅｒ）等によって構成され、専用線、或いはＩＳＤＮ回線等の通信回線を介してネットワークＮに接続された各装置との間の通信を制御する。
【００５１】
ＲＡＭ２５は、ＣＰＵ１１により実行制御される各種処理において、記憶部装置２６から読み出されたＣＰＵ２１で実行可能なシステムプログラム、制御プログラム、入力若しくは出力データ、及びパラメータ等の一時的に記憶する記憶領域を形成する。
【００５２】
記憶装置２６は、ＨＤＤ（Ｈａｒｄ  Ｄｉｓｃ  Ｄｒｉｖｅ）や不揮発性の半導体メモリ等により構成され、ＣＰＵ２１で実行されるシステムプログラム、当該システムプログラムに対応する各種処理プログラム、及び処理結果等を記憶する。また、プログラムやデータが予め記憶された記録媒体（図示省略）を有しており、この記録媒体は、磁気的、光学的記録媒体、もしくは半導体メモリで構成され、記憶装置２６に固定的、或いは着脱自在に装着するものである。これらの各種プログラムは、読取可能なプログラムコードの形態で格納され、ＣＰＵ２１は、当該プログラムコードに従った動作を逐次実行する。
【００５３】
Ｉ／Ｆ２７は、制御装置２０と通信端末１０−１とを接続するためのインターフェースであり、携帯端末１０が通信端末１０−１に装着されたことを検出すると、検出信号をＣＰＵ１１にする。また、Ｉ／Ｆ２７は、通信端末１０−１を介して、制御装置２０と携帯端末１０との間で、データの転送速度の調整や、データ形式の変換を行い、両者間のデータのやりとりを仲介する。例えば、Ｉ／Ｆ１４は、撮影開始前の携帯端末１０に撮影オーダ情報を送信するとともに、撮影終了後の携帯端末１０からカセッテＩＤと対応付けられた撮影オーダ情報を受信する。
【００５４】
次に、本実施の形態の動作を説明する。
なお、後述するフローチャートに記述されている各機能を実現するためのプログラムはコンピュータが読み取り可能なプログラムコードの形態で携帯端末１０の記憶装置１６又は制御装置２０の記憶装置２６に格納されており、携帯端末１０のＣＰＵ１１又は制御装置２０のＣＰＵ２１は、当該プログラムコードに従った動作を逐次実行する。
【００５５】
まず、撮影を行う準備処理として、撮影室において制御装置２０から携帯端末１０に撮影オーダ情報を取得させる撮影準備処理について説明する。
【００５６】
図５（ａ）は、制御装置２０のＣＰＵ２１により実行される撮影準備処理を示すフローチャートである。図５（ａ）に示すように、ＣＰＵ２１は、技師により入力部２２を介して撮影オーダ情報の送信指示が入力されると（ステップＳ１）、Ｉ／Ｆ２７を制御して、携帯端末１０が通信端末１０−１に装着されているか否かを判別する（ステップＳ２）。ここで、通信端末１０−１に携帯端末１０が装着されていない場合（ステップＳ２；ＮＯ）、ＣＰＵ１１は、表示部２３にエラー表示を行い、本撮影準備処理を終了する。
【００５７】
一方、通信端末１０−１に携帯端末１０が装着されている場合（ステップＳ２；ＹＥＳ）、ＣＰＵ１１は、記憶装置２６から撮影オーダ情報を取得し、通信端末１０−１を介して撮影オーダ情報を携帯端末１０に送信する（ステップＳ３）。そして、ＣＰＵ１１は、送信済み撮影オーダ情報の送信フラグをＯＮに設定して（ステップＳ４）、本撮影オーダ情報送信処理を終了する。
【００５８】
図５（ｂ）は、携帯端末１０のＣＰＵ１１により実行される撮影準備処理を示すフローチャートである。図５（ｂ）に示すように、携帯端末１０は、撮影オーダ情報を取得するため、通信端末１０−１に装着される（ステップＳ１１）。
【００５９】
次いで、ＣＰＵ１１は、Ｉ／Ｆ１４を制御して、制御装置２０から送信される撮影オーダ情報を受信する（ステップＳ１２）。そして、ＣＰＵ１１は、受信した撮影オーダ情報を記憶装置１６の撮影オーダ情報ファイル１６１に記憶させ（ステップＳ１３）、本撮影オーダ情報取得処理を終了する。
【００６０】
続いて、撮影の開始前に撮影を行う病室において、携帯端末１０により患者ＩＤ及びカセッテＩＤと撮影オーダ情報との対応付けを行う撮影開始処理について説明する。
【００６１】
図６は、携帯端末１０のＣＰＵ１１により実行される撮影開始処理を示すフローチャートである。図６に示すように、ＣＰＵ１１は、バーコードリーダ１７を制御して、患者のベッドサイド又は患者の身体の一部に付帯されたバーコードを読み取り、患者ＩＤを取得する（ステップＳ２１）。次いで、ＣＰＵ１１は、読み取った患者ＩＤに対応する撮影オーダ情報を記憶装置１６から取得する（ステップＳ２２）。
【００６２】
続いて、ＣＰＵ１１は、取得した撮影オーダ情報を表示部１３に表示させるとともに（ステップＳ２３）、バーコードリーダ１７を制御して、カセッテ５０に付帯されたバーコードを読み取り、カセッテＩＤを取得する（ステップＳ２４）。そして、ＣＰＵ１１は、取得したカセッテＩＤを、撮影オーダ情報に対応付けて記憶装置１６に記憶させ（ステップＳ２５）、本撮影開始処理を終了する。
【００６３】
続いて、本発明に特徴的な処理として、撮影終了後、撮影室において撮影済みの撮影オーダ情報に対応付けられたカセッテＩＤを制御装置２０に送信する撮影終了後処理について説明する。
【００６４】
図７（ａ）は、携帯端末１０のＣＰＵ１１により実行される撮影終了後処理を示すフローチャートである。図７（ａ）に示すように、ＣＰＵ１１は、通信端末１０−１から出力される検出信号に従って、携帯端末１０が通信端末１０−１に装着されたか否かを判別する（ステップＳ３１）。通信端末１０−１に携帯端末１０が装着された場合（ステップＳ３１；ＹＥＳ）、ＣＰＵ１１は、撮影済みの撮影オーダ情報に対応付けられたカセッテＩＤを記憶装置１６から取得して、制御装置２０に送信する（ステップＳ３２）。
【００６５】
次いで、ＣＰＵ１１は、カセッテＩＤを送信した撮影オーダ情報について、送信終了フラグをＯＮに設定する（ステップＳ３３）。また、ＣＰＵ１１は、撮影済みの撮影オーダ情報のうち、カセッテＩＤが未送信の撮影オーダ情報があるか否かを判別する（ステップＳ３４）。カセッテＩＤが未送信の撮影済み撮影オーダ情報がある場合（ステップＳ３４；ＹＥＳ）、ＣＰＵ１１は、ステップＳ３２に移行して、上述した処理を繰り返して実行する。一方、撮影済み撮影オーダ情報について全てカセッテＩＤを送信した場合（ステップＳ３４；ＮＯ）、ＣＰＵ１１は、本撮影終了後処理を終了する。
【００６６】
図７（ｂ）は、制御装置２０のＣＰＵ２１により実行される撮影終了後処理を示すフローチャートである。図７（ｂ）に示すように、ＣＰＵ２１は、通信端末１０−１を介して、携帯端末１０から撮影済みの撮影オーダ情報に対応付けられたカセッテＩＤを受信する（ステップＳ４１）。次いで、ＣＰＵ２１は、カセッテＩＤを受信した撮影オーダ情報について、受信終了フラグをＯＮに設定する（ステップＳ４２）。続いて、ＣＰＵ１１は、撮影オーダ情報に対応付けられたカセッテＩＤを情報管理装置６０に送信する（ステップＳ４３）。
【００６７】
さらに、ＣＰＵ２１は、送信終了フラグがＯＮに設定されている撮影オーダ情報のうち、所定時間が経過しても受信終了フラグがＯＮに設定されていない撮影オーダ情報があるか否かを判別する（ステップＳ４４）。ここで、所定時間が経過しても受信終了フラグがＯＮに設定されていない撮影オーダ情報がある場合（ステップＳ４４；ＹＥＳ）、ＣＰＵ１１は、表示部２３にエラー表示を行い（ステップＳ４５）、本撮影終了後処理を終了する。
【００６８】
また、撮影オーダ情報に対応付けられたカセッテＩＤを受信した制御装置２０のＣＰＵ１１は、医用画像読取装置３０により読み取られたカセッテＩＤ及び医用画像を受信し、医用画像に対応付けられたカセッテＩＤと、撮影オーダ情報に対応付けられたカセッテＩＤとに基づいて、医用画像及び撮影オーダ情報の対応付けを行い、医用画像を管理する。
【００６９】
図８は、携帯端末１０から撮影オーダ情報を受信する際に、制御装置２０の表示部２３に表示されるポータブルリスト受信画面２３１の一例を示す図である。図８に示すように、ポータブルリスト受信画面２３１には、携帯端末１０との間で送受信される撮影オーダ情報が一覧表示されている。
【００７０】
詳細に説明すると、ポータブルリスト受信画面２３１には、撮影オーダ情報として、患者ＩＤ、タブ種別、氏名、性別、生年月日、撮影部位、撮影数、カセッテＩＤを表示する項目が設けられ、各項目には、それぞれ対応するデータが表示されている。例えば、患者ＩＤには、「０００１」といった数字データが表示されている。タブ種別には、送信終了、受信終了を示すタブが矢印にて表示され、「→」は、撮影オーダ情報を送信済みであること示しており、「←」は、カセッテＩＤを受信済みであることを示している。また、無印は、撮影オーダ情報の送信及びカセッテＩＤの受信が行われていないことを示している。
【００７１】
すなわち、図８において、最上段の撮影オーダ情報は、携帯端末１０への送信が終了していない撮影オーダ情報であることを示しており、２段目の撮影オーダ情報は、携帯端末１０への送信は終了し、撮影が未終了の撮影オーダ情報であることを示している。また、３段目の撮影オーダ情報は、撮影が終了し、撮影オーダ情報に対応付けられたカセッテＩＤを受信したことを示している。
【００７２】
次に、氏名の項目には、例えば、「山田  一郎」としてテキストデータが表示され、性別の項目には、「男性」／「女性」としてテキストデータが表示されている。また、撮影部位の項目には、例えば、「胸部立位  Ｐ→Ａ」としてテキストデータが表示され、撮影数の項目には、「０／２」として数字データが表示されている。なお、この撮影数については、分母が撮影予定枚数を示しており、分子が撮影済み枚数を示している。さらに、カセッテＩＤの項目には、「０４０００１０８０２２０１６」として、撮影済みの撮影オーダ情報に対応付けられたカセッテＩＤの数字データが表示されている。すなわち、未撮影の撮影オーダ情報に付いては、カセッテＩＤが表示されない構成となっている。
【００７３】
次に、図９を参照して、制御装置２０の表示部２３に表示される医用画像の処理画面について説明する。図９（ａ）は、携帯端末１０を利用して撮影を行った場合に、制御装置２０の表示部２３に表示されるポータブル処理画面の一例を示す図である。図９（ａ）に示すように、ポータブル処理画面２３２には、同一の携帯端末１０に撮影された複数の患者の医用画像が同一画面に表示される構成となっている。
【００７４】
すなわち、ポータブル処理画面２３２には、患者毎に患者情報、医用画像、撮影情報を表示する領域が設けられ、同一画面には、４種類の医用画像が表示可能な構成となっている。具体的に、左端の医用画像を例として説明すると、患者情報を表示する領域には、患者ＩＤとして「０００１」の数字データを表示する項目と、氏名として「山田  一郎」のテキストデータを表示する項目とが設けられている。
【００７５】
その下部には、医用画像を表示する領域が設けられ、医用画像と、読取装置の識別情報として「１７０」の数字データを表示する項目と、解像度として「通常」のテキストデータを表示する項目とが設けられている。さらに、その下部には、撮影情報を表示する領域が設けられ、撮影部位として「胸部  他  斜位」のテキストデータを表示する項目と、カセッテＩＤとして「０１０００１０８０２２０１６」の数字データを表示する項目とが設けられている。
【００７６】
一方、図９（ｂ）は、通常の撮影室で撮影が行われた場合に、制御装置２０の表示部２３に表示される通常処理画面の一例を示す図である。図９（ｂ）に示すように、通常処理画面２３３には、一患者毎に撮影された複数の医用画像が同一画面内に表示される構成となっている。
【００７７】
すなわち、通常処理画面２３３には、一患者分の患者情報と、一患者に対して撮影された複数の医用画像を表示する領域と、各医用画像に対応する撮影情報を表示する領域が設けられ、同一画面には、４種類の医用画像が表示可能な構成となっている。具体的に、患者情報を表示する領域には、患者ＩＤ、氏名、性別、生年月日を表示する項目が設けられ、医用画像を表示する領域には、医用画像、撮影装置の識別情報、解像度を表示する項目が設けられ、撮影情報を表示する領域には、撮影部位、カセッテＩＤを表示する項目が設けられている。
【００７８】
上述した画像処理画面の表示例によれば、技師は、表示画面の構成に基づいて、表示されている医用画像がポータブル撮影装置４０により撮影されたものか、撮影室にて撮影されたものかを明確に認識しながら画像処理の操作を行うことができ、操作性がよい。
【００７９】
以上のように、本実施の形態の医用画像撮影システム１００によれば、撮影準備として、撮影を行うための撮影オーダ情報を制御装置２０から携帯端末１０に送信して記憶させ、撮影開始時に撮影を行う患者の患者ＩＤ及び医用画像を記録するカセッテのカセッテＩＤを読み取り、撮影オーダ情報との対応付けを行う。そして、撮影終了後、携帯端末１０を通信端末１０−１に装着することにより、携帯端末１０から撮影済みの撮影オーダ情報に対応付けられたカセッテＩＤを制御装置２０に送信して、制御装置２０においてカセッテＩＤに基づいて撮影オーダ情報と医用画像との対応付けを行う。
【００８０】
したがって、ポータブル医用撮影装置４０を利用して医用画像の撮影を行った後、撮影室に設置されている通信端末１０−１に携帯端末１０を装着するだけで、撮影済みの撮影オーダ情報と対応付けられたカセッテＩＤが制御装置２０に送信され、制御装置２０において、撮影オーダ情報と医用画像との対応付けが行われる。これにより、例えば、技師は、オーダ用紙に記録した撮影オーダ情報と、撮影に使用したカセッテのカセッテＩＤとの対応付けを制御装置２０に入力する作業を必要とせず、確実かつ速やかに撮影オーダ情報と医用画像の対応付けを図ることができる。すなわち、技師の作業負担の軽減を図るとともに、技師による入力ミス等の人為的なミスを防いで、容易かつ正確に医用画像を管理することができる。
【００８１】
また、携帯端末１０に記憶させたカセッテＩＤを制御装置２０に送信する作業を必要としないため、技師による送信ミスや送信忘れ等を防ぐことができ、重要な情報の紛失を防ぐことができる。さらに、制御装置２０から撮影オーダ情報を携帯端末１０に送信した後、所定時間が経過しても撮影済みの撮影オーダ情報に対応付けられたカセッテＩＤが制御装置２０に受信されない場合、制御装置２０の表示部２３にエラー表示を行うため、撮影忘れの防止や、携帯端末１０の通信端末１０−１への装着忘れを防止することができる。これにより、撮影オーダ情報の管理を徹底することができる。
【００８２】
また、制御装置２０は、撮影済みの撮影オーダ情報に対応付けられたカセッテＩＤを情報管理装置６０に送信するため、情報管理装置６０において、撮影オーダ情報と医用画像との対応付けを行い、医用画像を管理することができる。例えば、撮影済みのカセッテを医用画像読取装置３０で読み取る場合、医用画像読取装置３０において読み取ったカセッテのカセッテＩＤをネットワークＮを介して情報管理装置６０に送信する。情報管理装置６０は、受信したカセッテＩＤを制御装置２０から受信していない場合、携帯端末１０と制御装置２０とにおいて、撮影終了後処理が終了していないと判断して、医用画像読取装置３０にエラー情報を送信し、カセッテの読み取りを禁止させる。
【００８３】
これにより、撮影終了後、撮影オーダ情報とカセッテＩＤの対応付けが未だ行われていない場合に、カセッテから医用画像が読み取られ、医用画像に対応付けるべき撮影オーダ情報が不明となり、医用画像の管理が行えない状況を防止することができる。
【００８４】
さらに、本実施の形態の医用画像撮影システム１００によれば、携帯端末１０は、通信端末１０−１を介して直接的に制御装置２０に接続されるため、システム変更が必要になった場合、システム変更の自由度が高く、再構築が容易である。例えば、既存の医用画像撮影システムに携帯端末１０を導入する場合に、携帯端末１０と制御装置２０とのシステムを変更するだけで良く、システム導入の際に係るコスト及び手間を省くことができる。また、システムのバージョンアップ等にも速やかに対応することができ、利便性がよい。さらに、携帯端末１０と制御装置２０が直接的に接続されることにより、情報の漏洩を防いで、セキュリティの高い通信を行うことができる。
【００８５】
なお、上述した本実施の形態における記述は、本発明に係る好適な医用画像撮影システム及び医用画像管理方法の一例であり、これに限定されるものではない。
【００８６】
例えば、上述した医用画像撮影システム１００のシステム構成は一例であり、これに限定されるものではない。図１０に示す医用画像撮影システム２００のように、携帯端末１０と、制御装置２０との通信を制御する通信端末１０−１は、制御装置２０に直接接続される構成でなくてもよく、ネットワークＮに接続され、ネットワークＮを介して、複数の制御装置２０と任意に通信可能な構成であってもよい。
【００８７】
この医用画像撮影システム２００において、制御装置２０から携帯端末１０に送信される撮影オーダ情報には、撮影済みの撮影オーダ情報に対応付けられたカセッテＩＤの送信先（例えば、ネットワーク上のコンピュータを識別するためのＩＰアドレス等）を含むことが好ましい。すなわち、ネットワークＮに接続される複数の制御装置２０に対して任意に情報が送信可能であるため、通信端末１０−１への装着を検出した携帯端末１０のＣＰＵ１１は、撮影オーダ情報からカセッテＩＤの送信先を取得し、取得した送信先に対応する制御装置２０に撮影オーダ情報に対応付けられたカセッテＩＤを送信する。
【００８８】
また、携帯端末１０は、撮影オーダ情報を受信した制御装置２０の識別情報を記憶しておき、制御装置２０から受信した撮影オーダ情報に送信先が含まれていない場合、当該撮影オーダ情報を受信した制御装置２０に撮影オーダ情報に対応付けられたカセッテＩＤを送信する構成であってもよい。或いは、携帯端末１０の操作部１２から送信先を入力し、当該指定された送信先に必要な情報を送信する構成であってもよい。
【００８９】
この構成によれば、病院内のどこにいても、所望の制御装置２０に携帯端末１０から情報を送信することができるため、例えば、早急に情報が必要になった場合、速やかに必要な情報を送信することができる。また、携帯端末１０の記憶装置１６の容量を越えそうな場合であっても、制御装置２０が設置されている撮影室まで行くことなく、速やかに情報を送信して、データのバックアップを図ることができ、利便性がよい。
【００９０】
また、制御装置２０は、撮影オーダ情報を携帯端末１０に送信後、所定時間が経過しても撮影オーダ情報に対応したカセッテＩＤが携帯端末１０から受信されない場合に、エラー表示を行う構成としたが、通信端末１０−１に携帯端末１０が接続されている場合、又は携帯端末１０が無線通信機能を有している場合、制御装置２０からエラー情報を携帯端末１０に送信して、携帯端末１０の表示部１３にエラー表示を行わせる構成であってもよい。
【００９１】
さらに、制御装置２０は、撮影オーダ情報に対応したカセッテＩＤを受信した後、所定時間が経過しても医用画像読取装置３０から医用画像が受信されない場合に、エラー表示を行う構成であってもよい。これにより、撮影を終了した技師が、携帯端末１０を通信端末１０−１に装着したまま、医用画像読取装置３０にて、撮影済みのカセッテ５０から医用画像の読み取りを行う操作を忘れることを防止する。この場合、少なくとも携帯端末１０からカセッテＩＤを受信した制御装置２０がエラー表示を行う構成であれば良いが、複数の制御装置２０において、エラー表示が行われる構成であってもよい。
【００９２】
また、撮影オーダ情報に対応付けられて送信されるカセッテＩＤは、撮影オーダ情報との対応関係が明確であればよい。すなわち、撮影オーダ情報とともにカセッテＩＤが送信される構成であっても良く、撮影オーダ情報に一義的に割り当てられる撮影ＩＤとともにカセッテＩＤが送信される構成であってもよい。
【００９３】
その他、本実施の形態における医用画像撮影システム１の各構成要素の細部構成、及び細部動作に関しては、本発明の趣旨を逸脱することのない範囲で適宜変更可能であることは勿論である。
【００９４】
【発明の効果】
請求項１又は４記載の発明によれば、携帯端末はネットワークに接続されたことを検出すると、速やかに撮影オーダ情報に対応付けられたカセッテの識別情報を制御装置に送信するため、技師は、簡単な操作のみで、撮影オーダ情報に対応付けられたカセッテの識別情報を制御装置に送信させることができる。また、正確かつ迅速に撮影オーダ情報に対応付けられたカセッテの識別情報を制御装置に送信させることができる。
【００９５】
請求項２又は５記載の発明によれば、制御装置は、携帯端末から受信した撮影オーダ情報に対応付けられたカセッテの識別情報と、医用画像読取装置から受信した医用画像に対応付けられたカセッテの識別情報とに基づいて、確実に医用画像と撮影オーダ情報とを対応付けて管理することができる。
【００９６】
請求項３記載の発明によれば、制御装置において、携帯端末から制御装置に撮影オーダ情報が送信され、所定時間が経過しても撮影オーダ情報に対応付けられたカセッテの識別情報が受信されない場合、制御装置の表示部にエラー表示を行うことにより、技師に注意を促して、撮影忘れや情報の送信忘れを防止することができる。
【００９７】
請求項６記載の発明によれば、請求項３記載の効果に加えて、例えば、携帯端末にエラー表示を行わせて、より確実に技師に注意を促して、撮影忘れや情報の送信忘れを防止することができる。
【図面の簡単な説明】
【図１】本発明を適用した実施の形態における医用画像撮影システム１００のシステム構成を示す図である。
【図２】図１に示す携帯端末１０の要部構成を示すブロック図である。
【図３】図２の記憶装置１６に記憶される撮影オーダ情報ファイル１６１のデータ構成を示す図である。
【図４】図１に示す制御装置２０の要部構成を示すブロック図である。
【図５】（ａ）制御装置２０のＣＰＵ２１により実行される撮影準備処理を示すフローチャートである。
（ｂ）携帯端末１０のＣＰＵ１１により実行される撮影準備処理を示すフローチャートである。
【図６】携帯端末１０のＣＰＵ１１により実行される撮影開始処理を示すフローチャートである。
【図７】（ａ）携帯端末１０のＣＰＵ１１により実行される撮影終了後処理を示すフローチャートである。
（ｂ）制御装置２０のＣＰＵ２１により実行される撮影終了後処理を示すフローチャートである。
【図８】制御装置２０の表示部２３に表示されるポータブルリスト受信画面の一例を示す図である。
【図９】（ａ）制御装置２０の表示部２３に表示されるポータブル処理画面の一例を示す図である。
（ｂ）制御装置２０の表示部２３に表示される通常処理画面の一例を示す図である。
【図１０】本発明を適用した他の形態における医用画像撮影システム２００のシステム構成を示す図である。
【符号の説明】
１００，２００    医用画像撮影システム
１０  携帯端末
１１    ＣＰＵ
１２    操作部
１３    表示部
１４    Ｉ／Ｆ
１５    ＲＡＭ
１６    記憶装置
１７    バーコードリーダ
１８    バス
２０  制御装置
２１    ＣＰＵ
２２    入力部
２３    表示部
２４    通信制御部
２５    ＲＡＭ
２６    記憶装置
２７    Ｉ／Ｆ
２８    バス
３０  医用画像読取装置
４０  ポータブル撮影装置
５０  カセッテ
６０  情報管理装置
Ｎ    ネットワーク
【図１】
2004267667.tif 000003
【図２】
2004267667.tif 000004
【図３】
2004267667.tif 000005
【図４】
2004267667.tif 000006
【図５】
2004267667.tif 000007
【図６】
2004267667.tif 000008
【図７】
2004267667.tif 000009
【図８】
2004267667.tif 000010
【図９】
2004267667.tif 000011
【図１０】
2004267667.tif 000012